【手続補正書】
【提出日】平成21年4月22日(2009.4.22)
【手続補正１】
【補正対象書類名】特許請求の範囲
【補正対象項目名】全文
【補正方法】変更
【補正の内容】
【特許請求の範囲】
【請求項１】
表示制御の対象となる複数のページと、当該ページの表示開始時刻と表示終了時刻とを含むスケジュールデータとを記憶する記憶装置と、
前記記憶装置に記憶されている複数のページをそれぞれ、当該記憶装置に記憶されているスケジュールデータに含まれる当該ページの表示開始時刻から表示終了時刻まで表示装置に表示するよう制御する表示制御手段と、
シフト時間データの入力を受け付ける入力受付手段と、
前記記憶装置に記憶されているスケジュールデータに含まれる前記表示開始時刻と前記表示終了時刻とを一括して、前記入力受付手段により入力が受け付けられたシフト時間データに従ってシフトさせるシフト処理手段を備えたことを特徴とする画像表示制御装置。
【請求項２】
請求項１に記載の画像表示制御装置において、
前記シフト処理手段は、指定された時間範囲に含まれる前記表示開始時刻と前記表示終了時刻とを、前記シフト時間データに従ってシフトさせることを特徴とする画像表示制御装置。
【請求項３】
請求項１に記載の画像表示制御装置において、
前記シフト処理手段は、相互に関係付けられた複数の前記ページの表示開始時刻と表示終了時刻とを、前記シフト時間データに従ってシフトさせることを特徴とする画像表示制御装置。
【請求項４】
請求項１に記載の画像表示制御装置において、
前記ページは、画像表示用データもしくは機器の動作タイミングを制御する制御データを含むことを特徴とする画像表示制御装置。
【請求項５】
請求項１に記載の画像表示制御装置において、
前記ページは、予め設定された時刻を含み、
前記シフト処理手段は、前記ページの表示開始時刻と表示終了時刻とともに、当該ページに含まれる前記時刻をシフトさせることを特徴とする画像表示制御装置。
【請求項６】
予め設定された時刻を含むページを記憶する記憶装置と、
シフト時間データの入力を受け付ける入力受付手段と、
前記ページに含まれる前記時刻を、前記入力受付手段によって入力が受け付けられたシフト時間データに従ってシフトさせるシフト処理手段と、
前記シフト処理手段により前記時刻がシフトされた前記ページを表示するためのデータを生成するページ処理手段と、
前記ページ処理手段によって生成された前記ページを表示装置に転送して表示制御をする表示制御手段とを備えたことを特徴とする画像表示制御装置。
【請求項７】
請求項６に記載の画像表示制御装置において、
前記ページに含まれる前記時刻が複数のグループに区分され、
前記シフト処理手段は、指定されたグループの前記時刻を前記シフト時間データに従ってシフトさせることを特徴とする画像表示制御装置。
【請求項８】
請求項６に記載の画像表示制御装置において、
前記シフト処理手段は、前記ページ全体の前記時刻を前記シフト時間データに従って一括してシフトさせることを特徴とする画像表示制御装置。
【請求項９】
コンピュータを、
表示制御の対象となる複数のページと、当該ページの表示開始時刻と表示終了時刻とを含むスケジュールデータとを記憶する記憶装置に記憶されている複数のページをそれぞれ、当該記憶装置に記憶されているスケジュールデータに含まれる当該ページの表示開始時刻から表示終了時刻まで表示装置に表示するよう制御する表示制御手段と、
前記記憶装置に記憶されているスケジュールデータに含まれる前記表示開始時刻と前記表示終了時刻とを一括して、シフト時間データの入力を受け付ける入力受付手段により入力が受け付けられたシフト時間データに従ってシフトさせるシフト処理手段、
として機能させる画像表示制御プログラム。
【請求項１０】
表示制御手段が、表示制御の対象となる複数のページと、当該ページの表示開始時刻と表示終了時刻とを含むスケジュールデータとを記憶する記憶装置に記憶されている複数のページをそれぞれ、当該記憶装置に記憶されているスケジュールデータに含まれる当該ページの表示開始時刻から表示終了時刻まで表示装置に表示するよう制御するステップと、
シフト処理手段が、前記記憶装置に記憶されているスケジュールデータに含まれる前記表示開始時刻と前記表示終了時刻とを一括して、シフト時間データの入力を受け付ける入力受付手段により入力が受け付けられたシフト時間データに従ってシフトさせるステップ、
とを含む画像表示制御方法。
【手続補正２】
【補正対象書類名】明細書
【補正対象項目名】発明の名称
【補正方法】変更
【補正の内容】
【発明の名称】画像表示制御装置と画像表示制御プログラムと画像表示制御方法
【手続補正３】
【補正対象書類名】明細書
【補正対象項目名】０００１
【補正方法】変更
【補正の内容】
【０００１】
本発明は、イベントの開催案内等を表示する画面の表示時間や画面中の時刻表示を一括
変換する技術に関する。
【手続補正４】
【補正対象書類名】明細書
【補正対象項目名】０００３
【補正方法】変更
【補正の内容】
【０００３】
ここで、従来の技術には、次のような解決すべき課題があった。各種イベントが特定の会場で開催される場合には、その開催予定時刻が表示される。この開催予定時刻は、しばしば、主催者側の都合で変更される。例えば、開催時間が繰り下がったり、一部のイベントが中止されたり、順番が入れ替わることもある。このとき、主催者側では、会場の表示装置に表示される画面中の予定時刻を、ネットワークに接続された情報端末を使用して訂正する。イベント開始案内を表示するための画面の表示タイミングも訂正が必要になることがある。これらの作業は迅速性が要求されるが、煩雑であり誤記等の間違いが生じ易い。本発明は以上の課題を解決するためになされたもので、イベントの開催案内等を表示する画面の表示時間や画面中の時刻表示を、自動的に一括変換できる仕組みを提供することを目的とする。
【手続補正５】
【補正対象書類名】明細書
【補正対象項目名】０００４
【補正方法】変更
【補正の内容】
【０００４】
本発明は、表示制御の対象となる複数のページと、当該ページの表示開始時刻と表示終了時刻とを含むスケジュールデータとを記憶する記憶装置と、前記記憶装置に記憶されている複数のページをそれぞれ、当該記憶装置に記憶されているスケジュールデータに含まれる当該ページの表示開始時刻から表示終了時刻まで表示装置に表示するよう制御する表示制御手段と、シフト時間データの入力を受け付ける入力受付手段と、前記記憶装置に記憶されているスケジュールデータに含まれる前記表示開始時刻と前記表示終了時刻とを一括して、前記入力受付手段により入力が受け付けられたシフト時間データに従ってシフトさせるシフト処理手段を備えたことを特徴とする画像表示制御装置を提供する。
本発明に係る画像表示制御装置において、前記シフト処理手段は、指定された時間範囲に含まれる前記表示開始時刻と前記表示終了時刻とを、前記シフト時間データに従ってシフトさせてもよい。
本発明に係る画像表示制御装置において、前記シフト処理手段は、相互に関係付けられた複数の前記ページの表示開始時刻と表示終了時刻とを、前記シフト時間データに従ってシフトさせてもよい。
本発明に係る画像表示制御装置において、前記ページは、画像表示用データもしくは機器の動作タイミングを制御する制御データを含んでもよい。
本発明に係る画像表示制御装置において、前記ページは、予め設定された時刻を含み、前記シフト処理手段は、前記ページの表示開始時刻と表示終了時刻とともに、当該ページに含まれる前記時刻をシフトさせてもよい。
また、本発明は、予め設定された時刻を含むページを記憶する記憶装置と、シフト時間データの入力を受け付ける入力受付手段と、前記ページに含まれる前記時刻を、前記入力受付手段によって入力が受け付けられたシフト時間データに従ってシフトさせるシフト処理手段と、前記シフト処理手段により前記時刻がシフトされた前記ページを表示するためのデータを生成するページ処理手段と、前記ページ処理手段によって生成された前記ページを表示装置に転送して表示制御をする表示制御手段とを備えたことを特徴とする画像表示制御装置を提供する。
本発明に係る画像表示制御装置においては、前記ページに含まれる前記時刻が複数のグループに区分され、前記シフト処理手段は、指定されたグループの前記時刻を前記シフト時間データに従ってシフトさせてもよい。
本発明に係る画像表示制御装置において、前記シフト処理手段は、前記ページ全体の前記時刻を前記シフト時間データに従って一括してシフトさせてもよい。
さらに、本発明は、コンピュータを、表示制御の対象となる複数のページと、当該ページの表示開始時刻と表示終了時刻とを含むスケジュールデータとを記憶する記憶装置に記憶されている複数のページをそれぞれ、当該記憶装置に記憶されているスケジュールデータに含まれる当該ページの表示開始時刻から表示終了時刻まで表示装置に表示するよう制御する表示制御手段と、前記記憶装置に記憶されているスケジュールデータに含まれる前記表示開始時刻と前記表示終了時刻とを一括して、シフト時間データの入力を受け付ける入力受付手段により入力が受け付けられたシフト時間データに従ってシフトさせるシフト処理手段、として機能させる画像表示制御プログラムを提供する。
また、本発明は、表示制御手段が、表示制御の対象となる複数のページと、当該ページの表示開始時刻と表示終了時刻とを含むスケジュールデータとを記憶する記憶装置に記憶されている複数のページをそれぞれ、当該記憶装置に記憶されているスケジュールデータに含まれる当該ページの表示開始時刻から表示終了時刻まで表示装置に表示するよう制御するステップと、シフト処理手段が、前記記憶装置に記憶されているスケジュールデータに含まれる前記表示開始時刻と前記表示終了時刻とを一括して、シフト時間データの入力を受け付ける入力受付手段により入力が受け付けられたシフト時間データに従ってシフトさせるステップ、とを含む画像表示制御方法を提供する。
【手続補正６】
【補正対象書類名】明細書
【補正対象項目名】０００５
【補正方法】変更
【補正の内容】
【０００５】
それぞれ次のような構成により上記の課題が解決される。
〈構成１〉  表示制御の対象となる任意の構成の複数のページと当該ページの表示開始時刻と表示終了時刻とを設定したスケジュールデータを記憶する記憶装置と、上記スケジュールデータを参照して、上記複数のページを、それぞれ上記表示開始時刻から上記表示終了時刻まで表示装置に表示するよう制御する表示制御手段と、シフト時間データの入力を受け付ける入力受付手段と、上記スケジュールデータに含まれた上記ページの表示開始時刻と表示終了時刻の全部または一部を一括して、上記シフト時間データに従ってシフトさせるシフト処理手段を備えたことを特徴とする画像表示制御システム。
スケジュールデータにより、複数のページの表示開始時刻と表示終了時刻とを設定し制御する。この表示開始時刻と表示終了時刻の全部または一部を一括シフトすることができるので、スケジュール全体を正確に簡便に変更でき、管理を容易にする。